(57)【特許請求の範囲】
【請求項１】
頭部に固定部材を介して固定した竿と、該竿の先端と人体の胴部から下の一部に固定した止め具との間に連設できる弾性紐部材からなる糸と、該糸に沿って移動が可能であるボールを設けたことを特徴とする簡易パンチングボール装置。
【発明の詳細な説明】
【０００１】
【産業上の利用分野】
本発明は、より実践に近い感覚で攻撃と防御の練習ができる。簡易パンチングボール装置に関する物である。
【０００２】
【従来の技術】
設置型のパンチングボールは、ボールを打ち跳ね返って来たボールを防御し、そしてまた打ち返すといった練習において限られた場所で行う。
【０００３】
又、シャドーボクシングの練習においては、目標となる的のないイメージトレーニングがあるが、熟練者のようにイメージが膨らむ人の場合は、非常に有効な練習になるが、経験の浅い人の場合はイメージが膨らまず、防御まで練習ができない。
【０００４】
又、シャドーボクシングで防御の練習を行う場合、パンチが相手から飛んで来るのをイメージして行うが、実際の試合とは違い恐怖心がないため、集中力のない時には効果的な練習ができない。
【０００５】
又、実践に近い練習で寸止めボクシングの練習がある。二人の練習者が向かい合って相手にパンチを寸止めで打ち、それをいろいろな防御の方法を用いて練習するが、相手の感情によってパンチが顔や体に当たってしまうという危険性もある。
【０００６】
又、設置型のパンチングボールの場合、場所、費用面で一般の人が手軽に購入出来ないという問題点がある。
【０００７】
【発明が解決しようとする課題】
本発明は、上記問題点に鑑みて成されたものであり、一人で自由に動き回りながら、攻撃と防御の練習をより実践に近い形でできる、簡易パンチングボール装置を提供することを目的とするものである。
【０００８】
又、他の目的は、比較的簡単に製造でき、使用や保管が容易な簡易パンチングボール装置を提供することにある。
【０００９】
【課題を解決するための手段】
上記目的を達成するために、本発明の簡易パンチングボール装置は、頭部に固定部材を介して固定した竿と、該竿の先端と人体の胴部から下の一部に固定した止め具との間に連設できる弾性紐部材からなる糸と、該糸に沿って移動が可能であるボールを設け、練習者が的を狙って打ち、跳ね返ってきたボールをよける事によって、攻撃と防御の両面を効果的に鍛えることができるように構成したものである。
【００１２】
【発明の実施の態様】
発明の実施の形態を実施例に基づき、図面を参照して説明する。図１は簡易パンチングボール装置であり、人体の頭部（Ｈ１）に固定したヘッドギア（１）の前頭部に、固定部材（２）を介して固定した竿（３，４）の先端と、胴部（Ｈ２）に固定した止め具（７）との間に連設した弾性紐部材（５）に、ボール（６）を設ける様に構成したものである。
【００１３】
図３において固定部材（２）は、竿の根元（１０）を２枚の布で包み込んで固定し、切り抜け穴から竿（３，４）が出るように構成したもので、両側につけたマジックテープ（１１，１２）の帯で、図４の様にヘッドギアの前頭部に巻きつけて固定する。
【００１４】
図１においてヘッドギア（１）のかわりに専用帽子として野球帽、水泳帽、ヘルメットなど、あらゆる被り物に簡易パンチングボール装置を取り着けたり、又帽子そのものが簡易パンチングボール装置と一体化した物もある。
【００１５】
図３において固定部材（２）は、固定する手段としてマジックテープを用いているが、クリップ状の物でヘッドギアに挟んで噛ませて固定する方法もある。又、図８，９，１０において専用帽子の場合は、竿の根元（１０）に切り抜け穴（１４）またはベルト通し（１５）を設け、該帽子にもベルトを通すための切り抜け穴（１３）を設けて、ベルト状のマジックテープでずれを生じない様しっかり固定する。
【００１６】
図１１において、簡易パンチングボール装置と一体化したベルト状の物であり、一部にゴムバンド（１６）を設け、長さ調節するホック（１７）も設ける事で、練習中にずれを生じない様に構成している。
【００１７】
前記、竿の根元（１０）は、ヘッドギアの前頭部と同等の大きさのもので、該ヘッドギアの前頭部の曲面に合わせる様な素材で構成されていて、形は板状又は枠状である。
【００１８】
竿（３，４）は、竿の根元（１０）から上部に向けて伸びるように構成されている。又、竿の伸びる角度に関しては、前頭部から垂直にＴ型に伸ばすのを最低角度として、それ以上であればどんな角度でも設計可能である。
【００１９】
竿（３）は、ボールを打つ時の衝撃に耐えられる強度を有する素材で、例えば金属、合成樹脂等で形成されたものであり、切り抜け穴から上に向かって伸び、所定の長さで折れ曲がり、竿（４）は伸縮自在で、練習者の手の長さに合わせてボールとの距離を決められるようにしているのである。又、竿の先端は、弾性紐部材を連設するための切り抜け穴を有する。
【００２０】
弾性紐部材（５）は、竿にしなりが有る場合は伸縮しない紐を用いる場合がある。
【００２１】
図７において弾性紐部材（５）に切り抜け穴を有したボール（６）を通して、ボールの切り抜け穴の両側に、ボールの位置を固定するボタン式クリップ（９）を設けて、自由にボールの位置を変えることが可能な様に構成したものである。
【００２２】
図７において、ボールの切り抜け穴に弾性紐部材を通し、ボタン式クリップ（９）を用いて高さを調整しているが、ボールと弾性紐部材を独立させて、該弾性紐部材は、数種類の長さの物を色分けすることによって、ボールの高さ調節を自由に行うこともできる。
【００２３】
又、前記弾性紐部材（５）と竿の先端を連接するために、該弾性紐部材にバネ式クリップ（８）を着設し、ボール（６）の交換が自由に出来るように構成したものである。
【００２４】
又、前記ボールは、数種類の大きさや重さの物を自由に取り替えられることによって、復帰する速度や強度が違う中での反射神経や瞬時の判断力を養うことが出来るように構成したものである。
【００２５】
図１において、身体の一部に固定するクリップ（７）は１つであるが、下部の弾性紐部材を２本にし両足それぞれに固定する場合もある。
【００２６】
簡易パンチングボール装置は持ち運びができ、いつでも手軽に練習ができるよう携帯用バックを設ける。
【００２７】
【発明の効果】
本発明の簡易パンチングボール装置は、練習者の頭部に容易に装着し、ボールを打ち出した場合にも元の位置へ復帰するように構成されているため、一人で自由に動き回りながら、より実践に近い感覚で攻撃と防御ができるという効果がある。
【００３０】
更に、本発明は比較的安価に製造及び使用できるため、経済的であるという利点も有するものである。
【図面の簡単な説明】
【図１】本発明及び、本発明の実施状態を示す説明図である。
【図２】竿の根元と竿
【図３】固定部材
【図４】ヘッドギアに固定部材を固定した斜面図である。
【図５】ヘッドギアに固定部材を固定した正面図である。
【図６】竿の先端にバネ式クリップを連設する図である。
【図７】ボタン式クリップでボールの位置を固定している図である。
【図８】専用帽子に切り抜け穴を設けた図である。
【図９】竿の根元にベルト通しを設けた図である。
【図１０】竿の根元に切り抜け穴を設けた図である。
【図１１】固定部材と一体化したバンドの図である。
【符号の説明】
１  ヘッドギア
２  固定部材
３  竿
４  伸縮自在の竿
５  弾性紐部材
６  ボール
７  止め具
８  バネ式クリップ
９  ボタン式クリップ
１０  竿の根元
１１、１２  マジックテープ
１３  切り抜け穴
１４  切り抜け穴
１５  ベルト通し
１６  ゴムバンド
１７  ホック
Ｈ１  頭部
Ｈ２  胴部
【図１】
0004491531.tif 000002
【図２】
0004491531.tif 000003
【図３】
0004491531.tif 000004
【図４】
0004491531.tif 000005
【図５】
0004491531.tif 000006
【図６】
0004491531.tif 000007
【図７】
0004491531.tif 000008
【図８】
0004491531.tif 000009
【図９】
0004491531.tif 000010
【図１０】
0004491531.tif 000011
【図１１】
0004491531.tif 000012